(57)【要約】  【課題】空調機システムにおいて、室内機の設置場所と、この室内機のアドレスとの関係が不明な場合でも、室内機のグループ化を簡単に、また正確に行う構成を提供する。  【解決手段】室内機１２は、赤外線信号を受信するリモコン受信部２１と、室内の音を検知する音検知部２８と、これらを制御する室内機制御部２６を備えている。リモコン受信部２１は、受信した赤外線（日光や照明が発するものも含む）のレベルに対応する信号であるＡＧＣ信号を室内機制御部２６へ出力する。また、音検知部２８は室内の音ノレベルを室内機制御部２６へ出力する。室内機制御部２６は、入力した赤外線や音の信号レベルにより室内機が設置された部屋の照明や音の変化を検知し、この検知情報を図示しない管理装置に送信する。管理装置は所定時間の間、この検知情報を受信し、検知情報があった室内機群を１つのグループとして管理する。【選択図】図３
2011141099.tif 000002
【特許請求の範囲】
【請求項１】
複数の室内機と、室外機と、同室内機と同室外機とを管理する管理装置とを備え、これらが通信線で接続された空調機システムであって、
前記室内機は、同室内機が設置された部屋の明るさを検知する明るさ検知手段を備え、前記管理装置の指示により、前記明るさ検知手段で検知した検知結果データを前記管理装置に送信するものであり、
前記管理装置は、前記室内機から受信した前記検知結果データ対応してグループ化すべき前記室内機を特定し、同特定した前記室内機を同一グループとして管理することを特徴とする空調機システム。
【請求項２】
複数の室内機と、室外機と、同室内機と同室外機とを管理する管理装置とを備え、これらが通信線で接続された空調機システムであって、
前記室内機は、同室内機が設置された部屋の音を検知する音検知手段を備え、前記管理装置の指示により、前記音検知手段で検知した検知結果データを前記管理装置に送信するものであり、
前記管理装置は、前記室内機から受信した前記検知結果データに対応してグループ化すべき前記室内機を特定し、同特定した前記室内機を同一グループとして管理することを特徴とする空調機システム。
【発明の詳細な説明】
【技術分野】
【０００１】
本発明は、複数の室内機や室外機を備えた空調機システムに係わり、より詳細には、室内機のグループ化設定の構成を備えた空調機システムに関する。
【背景技術】
【０００２】
従来、室内機をグループ化する設定としては、特許文献１に開示されているものがあった。一般的な方法としては、各室内機のうち、グループ対象となる室内機に対して、対応するリモコンや室内機本体に備えられたスイッチなどでグループ番号を設定するものがある。しかしながら、室内機を１台づつ人手で設定するため、すべての室内機を設定するために作業時間が長くなり、また、設定忘れや設定誤りなどの問題があった。
【０００３】
一方、空調機システムに管理装置や集中リモコンなどを設け、ここから機器のアドレスを指定しながらグループを設定する方法もある。この場合、グループ化したい室内機のアドレスと、その室内機がどの部屋に配置されているのかを予め正確に把握しておく必要がある。しかしながら、実際に運用されている空調機システムでは、必ずしも全ての室内機のアドレスと配置とが正確に把握されているとは限らず、グループ設定の度にそれらの情報を更新するか、もしくは、前述したように１台づつ人手で設定するしか方法がなかった。
これに対して特許文献１では、グループ対象となる室内機を冷媒系統と対応させることで、個々の室内機への設定作業を省略して自動グループ化を実現している。
【０００４】
特許文献１には、１つの冷媒系統と対応して、室内機や室外機が複数備えられ、これらが通信接続されている構成が記載されている。室内機には熱交換器が備えられており、この室内機には温度センサが装着され、内部に流れる冷媒の温度を検知し、この温度情報を室外機へ送信する構成となっている。
【０００５】
従って、例えば室外機が暖房運転を開始すると、暖められた冷媒が各室内機の熱交換器に流れ込み、各室内機の熱交換器の温度が上昇する。このように熱交換器の温度が上昇する室内機は、暖房運転を開始した室外機と同じ冷媒系統と対応する室内機だけであるため、各室内機から送信される熱交換器の温度情報と、送信元の機器アドレスを監視することにより、どのアドレスの機器が同一グループであるか判別でき、この情報を記憶することで室内機のグループ管理が可能になる（例えば、特許文献１参照。）。
【０００６】
しかしながら、グループを識別する手段として冷媒を用いているため、別の冷媒系統に接続された室内機とはグループ化できないという問題があった。また、冷媒の温度変化でグループ内か否かを判定しているため、グループ化の作業を行う場合、冷媒温度が室温近くに低下するまで運転を停止しておかなければならず、グループ設定に時間がかかるという問題もあった。
【先行技術文献】
【特許文献】
【０００７】
【特許文献１】特許第２６６７９５０号公報（第４−５頁、図１）
【発明の概要】
【発明が解決しようとする課題】
【０００８】
本発明は以上述べた問題点を解決し、空調機システムにおいて、室内機の設置場所と、この室内機のアドレスとの関係が不明な場合でも、室内機のグループ化を簡単に、また正確に行うことを可能にした空調機システムを提供することを目的とする。
【課題を解決するための手段】
【０００９】
本発明は上述の課題を解決するため、請求項１に係わる発明は、複数の室内機と、室外機と、同室内機と同室外機とを管理する管理装置とを備え、これらが通信線で接続された空調機システムであって、
前記室内機は、同室内機が設置された部屋の明るさを検知する明るさ検知手段を備え、前記管理装置の指示により、前記明るさ検知手段で検知した検知結果データを前記管理装置に送信するものであり、
前記管理装置は、前記室内機から受信した前記検知結果データに対応してグループ化すべき前記室内機を特定し、同特定した前記室内機を同一グループとして管理することを特徴とする。
【００１０】
請求項２に係わる発明は、複数の室内機と、室外機と、同室内機と同室外機とを管理する管理装置とを備え、これらが通信線で接続された空調機システムであって、
前記室内機は、同室内機が設置された部屋の音を検知する音検知手段を備え、前記管理装置の指示により、前記音検知手段で検知した検知結果データを前記管理装置に送信するものであり、
前記管理装置は、前記室内機から受信した前記検知結果データに対応してグループ化すべき前記室内機を特定し、同特定した前記室内機を同一グループとして管理することを特徴とする。
【発明の効果】
【００１１】
以上の手段を用いることにより、本発明による空調機システムによれば、
請求項１に係わる発明は、グループ化されるべき室内機の選択を、その室内機が設置されている部屋の照明の変化（点灯や消灯）で判定し、所定時間内にこの変化があった室内機を１つのグループとして管理装置が認識するので、室内機の配置と室内機のアドレスとの関係が不明であっても、容易にグループ設定を行うことができる。
【００１２】
請求項２に係わる発明は、グループ化されるべき室内機の選択を、その室内機が設置されている部屋の音の変化（電話の呼出音など）で判定し、所定時間内にこの変化があった室内機を１つのグループとして管理装置が認識するので、室内機の配置と室内機のアドレスとの関係が不明であっても、容易にグループ設定を行うことができる。
【図面の簡単な説明】
【００１３】
【図１】本発明による空調機システムの実施例を示すブロック図である。
【図２】本発明によるグル−プ化の概念を説明する部屋の見取り図である。
【図３】本発明による室内機のブロック図である。
【図４】リモコン受信部におけるＡＧＣ信号を示すグラフである。
【図５】音検知部における音レベル信号を示すグラフである。
【図６】管理装置に記憶される管理テーブルを示す説明図である。
【図７】本発明による室内機と管理装置との処理を説明するフローチャートである。
【発明を実施するための形態】
【００１４】
以下、本発明の実施の形態を、添付図面に基づいた実施例として詳細に説明する。
【実施例１】
【００１５】
図１は本発明による空調機システムを説明するブロック図である。
【００１６】
ホテル１( ビル) 内に本発明による空調機システムが配置された場合を示しており、この空調機システムは、管理装置４と、冷媒系統５と冷媒系統６とにそれぞれ配置された複数の室内機や室外機が備えられている。なお、冷媒の配管については本発明と直接関係ないため図示と説明とを省略する。
【００１７】
冷媒系統５は、室内機１１と、室内機１２と、室内機１３と、室内機１４と、親室外機１５と、これに接続された子室外機１６とを備えており、以上の各機器は通信線７を介して相互に通信できるようになっている。
【００１８】
また、各機器は通信線７により管理装置４と通信可能に接続されているため、室内機１１〜１４を図示しないリモコンで単独運転させるだけでなく、管理装置４から室内機１１〜室内機１４、親室外機１５や子室外機１６を通信線７を介してリモート制御するように構成されている。
【００１９】
一方、冷媒系統６には室内機３１と、室内機３２と、室内機３３と、親室外機３５と、これに接続された子室外機３６とを備えており、以上の各機器は通信線７を介して相互に通信できるようになっている。冷媒系統６についても冷媒系統５と同様に、単独、又はリモート運転が可能である。
なお、通信線７に接続された機器には、各機器専用の通信アドレスが割り当てられており、このアドレスを用いて互いに識別し、相互に通信可能になっている。
【００２０】
この空調器システムの室内機や室外機の各機器にはマイコンが搭載されている。さらに、管理装置４は、ＣＰＵを備えたパソコンやサーバであり、これらのマイコンやＣＰＵが各機器内のプログラムを実行することで各種の処理を行い、種々の機能や手段を実現し、空調機システムが運転される構成になっている。
従って、後述する各機器毎の処理説明フローチャートにおける各機能は、これらのマイコンやＣＰＵが処理手順に従って所定のプログラムステップを実行することで実現される。
【００２１】
なお、図１に示すように空調グループ２は、室内機１１〜１４が、また、空調グループ３は、室内機３１〜室内機３３が、それぞれ１つの空調グループとして管理装置４で管理されるようになっている。このような空調グループは、ホテル１内のテナントや事務所、部門毎にまとめて複数の室内機を管理するために設定されている。従って、多くの場合、１つの部屋やフロアをまとめてグループ化する。この空調グループに属する室内機のアドレスは管理装置４の内部で管理テーブルとして記憶されている。
【００２２】
図２は本発明によるグル−プ化の概念を説明する部屋の見取り図である。
事務所４１には室内機１１〜１３が、また、トイレ４２には室内機１４がそれぞれ配置されている。従ってこれらの４台が空調グループ２を構成している。また、事務所４１には照明５１〜５２、トイレ４２には照明５３がそれぞれ設けられており、これらは図示しないスイッチによりオン／オフできるようになっている。
【００２３】
一方、事務所４３には室内機３１と室内機３２とが、また、会議室４４には室内機３３がそれぞれ配置されている。従ってこれら３台が空調グループ３を構成している。また、事務所４３には電話機５５、会議室４４には電話機５６がそれぞれ設けられており、これらは図示しない交換機を介して管理室４５の電話機５７に接続されている。また、管理室４５には管理装置４が設置されている。
【００２４】
なお、図１及び図２において、室内機１１〜１４には通信用のアドレス＃１〜＃４が、また、室内機３１〜室内機３３にはアドレス＃３１〜＃３３が、管理装置４にはアドレス＃０が、親室外機１５、子室外機１６にはアドレス＃５、＃６が、親室外機３５、子室外機３６にはアドレス＃３５、＃３６が、それぞれ割り当てられている。この割り当てについては、システムの設置時に行われるものであり、ここでの説明は省略する。
【００２５】
本発明では、グル−プ化される室内機が、同じ室内に設置されていることや隣接する部屋に配置されていることに着目したものである。各室内機が、室内機自身が設置されている部屋の照明のオン／オフや室内にある電話機の呼出音の有無を検知し、この検知情報を管理装置４へ送信する。管理装置４では、グループを検知する所定時間内において、照明のオンや電話の呼出音が有る室内機を１つのグループとして認識するようになっている。
【００２６】
図３は室内機１２のブロック図である。このブロック図は他の室内機と同じ構成であるため、他の室内機についての説明は省略する。
【００２７】
図３に示すように室内機１２は、図示しない赤外線リモコンから送信される赤外線信号を受信するリモコン受信部２１と、室内の温度を検知する室温センサ２７と、室温センサ２７の検知信号を入力する室温センサ入力部２５と、入力した指示に従ってブザー音や合成された音声を発生する報知部２２と、送風ファンモータ２３と、上下風向板の角度調節を行うステッピングモータ２４と、通信線７を介して他の機器と通信を行う通信部２９と、内蔵されたマイクロフォンで室内の音を検知し、この音のレベルを出力する音検知部２８( 音検知手段) と、これらを制御する制御手段である室内機制御部２６とを備えている。なお室内機制御部２６はリモコン受信部２１を介して図示しない赤外線リモコンからの指示を受け付けるようになっている。
【００２８】
なお、リモコン受信部２１は、受信した赤外線（日光や照明が発するものも含む）のレベルに反比例して受信感度を調節するようになっており、この受信感度と対応する信号であるＡＧＣ（Automatic Gain Control）信号が室内機制御部２６へ出力されるように構成されている。また、室内機制御部２６ではこの信号が、室内機制御部２６の内部に設けられた図示しないＡ／Ｄ変換回路へ接続されており、受信した信号レベルをデジタル値に変換して処理するようになっている。このＡＧＣ信号は受信信号のレベルに比例した信号である。このＡＧＣ信号のレベルにより室内機が設置された部屋の照明のオン／オフを検知する構成が明るさ検知手段となる。
【００２９】
なお、リモコン受信部２１を用いないで、別途、照度センサを設け、この照度センサの出力を室内機制御部２６の内部に設けられた図示しないＡ／Ｄ変換回路へ接続し、照度センサの出力レベルで照明のオン／オフを検知するようにしてもよい。
【００３０】
リモコン受信部２１の受光部には図示しない光学フィルタが設けられており、リモコンの赤外線以外の波長をできるだけ除去するようになっている。しかしながら、蛍光灯などからは、リモコン信号の変調信号である３８キロヘルツの信号に近い４０キロヘルツ近辺の信号が出ており、リモコン受信部２１の感度が高い場合はこの周波数の信号が照明のノイズとして受信信号に現れる。本発明では、この照明から出力されるノイズの有無により、室内の照明のオン／オフを検出している。
【００３１】
図４はリモコン受信部２１におけるＡＧＣ信号を示すグラフである。縦軸はＡＧＣ信号の電圧を、横軸は時間を示している。室内機が設定された部屋が暗い場合、ＡＧＣ信号は低レベル（高感度）となり、ここで、室内の照明が点灯されると、リモコン受信部２１はこの明かりを検知してＡＧＣ信号は中レベル（中感度）となる。従って、室内機制御部２６は、ＡＧＣ信号電圧が照明点灯閾値を越えたか否かで、照明のオン／オフを検知し、この情報を通信線７を介して管理装置４へ送信する。この処理については後で詳細に説明する。なお、赤外線リモコンの赤外信号は照明の赤外線信号よりもレベルが高いため、点線で示す様に照明が点灯していても区別することができる。
【００３２】
一方、室内機１２の内部には前述したように音検知部２８が備えられており、室内機が設置された室内の音の大小を電圧レベルとして室内機制御部２６へ出力する。室内機制御部２６はこの信号が、室内機制御部２６の内部に設けられた図示しないＡ／Ｄ変換回路へ入力されており、入力した信号レベルをデジタル値に変換するようになっている。本発明では、この構成により室内の音レベルを監視し、室内に設置された電話機から出力される呼出音の有無を検出している。なお、この音検知部２８が音検知手段である。
【００３３】
図５は音検知部２８における音信号を示すグラフである。縦軸は音信号のレベルを、横軸は時間を示している。室内機が設置されている部屋が静かな場合、音信号は低レベルとなり、ここで、室内に設置された電話機から呼出音が出された場合、音検知部２８はこの呼出音を検知して音信号は中レベルとなる。従って、室内機制御部２６は、音信号が呼出音閾値を越えたか否かで、呼出音の有無を検知し、この情報を通信線７を介して管理装置４へ送信する。この処理については後で詳細に説明する。
【００３４】
以上説明した照明を検出する構成、または、室内に設置された電話機から出力される呼出音を検出する構成はいずれかを用いてもよいし、両方を併用してもよい。また、グループを指示する手段として、室内の照明や電話の呼出音に代替して、光を発するランプや警報音を発する装置を用いてもよい。
【００３５】
次にこの照明や呼出音を用いてグル−プ化する室内機を選択する方法を図２を用いて説明する。
グル−プ化する室内機を選択する場合、まず、管理者が管理装置４にグループ化開始指示の操作を行い、これに対応して管理装置４は、管理装置４から各室内機へグループ選択開始コマンドを送信する。これを受信した各室内機は、前述したように照明のオン／オフや音の有無の監視を開始する。なお、このグループ選択開始コマンドに、選択対象（照明のみ、音のみ、両方）を付加しており、これを受信した室内機は指示に従って監視を開始する。
【００３６】
室内機の室内機制御部２６は、選択対象で指示された対象を監視し、監視対象のレベル変化、つまり、ＡＧＣ電圧が照明点灯閾値を越えた、もしくは、音レベルが呼出音閾値を越えた場合、これらの監視結果データであるグループ検知データを管理装置４へ送信する。なお、管理装置４はグループ選択開始コマンドを送信した後、一定時間、例えば１０分間が経過するとグループ選択停止コマンドを各室内機へ送信する。これを受信した室内機の室内機制御部２６は、監視処理を終了する。また、室内機制御部２６は、監視処理の間、報知部２２から『グループ化処理中』などの音声を発生したり、その旨の表示を行ったりする。当然のことながら、音レベルを監視中は音声の発生を行わない。
【００３７】
なお、空調機システムを管理する管理人は、管理装置４を操作してグループ選択開始コマンドを送信した後、グル−プ化の対象となる室内の照明を点灯させたり、グル−プ化の対象となる室内に設置された電話機を発呼する。そして、すべての部屋での処理が完了したら、管理装置４を介してグループ選択停止コマンドを送信する。
【００３８】
例えば、室内機が設置されているホテル１の照明が消灯されており、空調グループ２を構成したい場合、各室内機が照明を監視中に、管理人は照明５１と照明５２と照明５３とを点灯させる。
すると、室内機１１〜室内機１４は、それぞれ、これらの照明の点灯情報であるグループ検知データを、自分のアドレス情報＃１〜＃４と共に管理装置４へ送信する。この室内機１１〜室内機１４が設置された部屋以外の部屋では照明が消灯のままであり、管理装置４は、照明の点灯信号を送信した室内機が全て同じグループと認識できる。
【００３９】
同様に空調グループ３を構成したい場合、ホテル１内の室内機に音レベルを監視させ、この監視中に管理室４５から、グル−プ化対象となる部屋に設置されている電話機５５と電話機５６とに電話機５７から発呼する。すると、室内機３１〜室内機３３はこれらの電話機の呼出音の検知データである情報グループ検知データを、自分のアドレス情報＃３１〜＃３３と共に管理装置４へ送信する。この室内機３１〜室内機３３が設置された部屋以外の部屋では電話機から呼出音が出ないため、管理装置４は、呼出音情報を送信した室内機が全て同じグループと認識できる。
【００４０】
以上説明したように、グループ化されるべき室内機の選択を、その室内機が設置されている部屋の照明の変化（点灯や消灯）で判定し、所定時間内にこの変化があった室内機を１つのグループとして管理装置が認識するので、室内機の配置と室内機のアドレスとの関係が不明であっても、容易にグループ設定を行うことができる。また、部屋の照明の変化をリモコン受信部２１を用いて検知しているため、別途、照度センサ等を設ける必要がなく、低コストで本発明の機能を設けることができる。
【００４１】
また、グループ化されるべき室内機の選択を、その室内機が設置されている部屋の音の変化（電話の呼出音など）で判定し、所定時間内にこの変化があった室内機を１つのグループとして管理装置が認識するので、室内機の配置と室内機のアドレスとの関係が不明であっても、容易にグループ設定を行うことができる。また、電話の呼出音を用いることにより、管理者が管理室４５から電話機５７を使用して電話機５５や電話機５６を呼び出すことができ、管理者がグループ化されるべき部屋へ移動することなく容易にグループ設定が可能である。
【００４２】
次にこの点灯情報や呼出音情報からなるグループ検知データを受信した管理装置４の処理について説明する。
図６は管理装置に記憶される管理テーブル示す説明図である。
管理装置４は、各室内機や室外機の運転状況を管理する管理テーブルをその内部に記憶している。図６に示す様に管理する項目は、各機器を識別する『アドレス』、室内機や室外機の『種類』、グル−プ化されている室内機があれば、その『グル−プ番号』、各室内機より受信した点灯情報又は呼出音情報である『グループ検知』、現在の『運転状態』、現在の『運転モード』、『設定温度』、『室温』、・・・などその他の情報を各機器毎にデータとして管理装置４内部に記憶しており、各機器から送られてくるデータや、管理装置自身が他の機器に指示したデータなどでテーブルを更新する。
【００４３】
この管理テーブルにおいて、例えばアドレス＃３１〜＃３３は、すべて『グループ番号』が”３”になっており、これらのアドレスと対応する室内機３１〜室内機３３は同じ空調グループ３に属している。また、『グループ番号』が”？”の室内機は、特定の空調グループに属していないことを示している。
【００４４】
このような管理テーブルの状態において、新たにグループを設定する場合、管理人は、前述したように管理装置４に対して、グループ化の指示を入力し、この指示を受け付けた管理装置４は、グループ選択開始コマンドを各室内機に送信する。なお、この場合、管理装置４は、『グループ番号』が”？”の機器にのみ、このグループ選択開始コマンドを送信すると共に、このコマンドの送信対象である室内機の『グループ検知』の欄に『−』を書き込む。これは既存のグループの設定はそのまま変更しないためである。これらを含めて新たにグループを構成する場合、管理人は管理装置４を操作して『グループ番号』を”？”に変更しておくことで、グループ化の対象とすることができる。なお、このように管理テーブルに”？”を書き込む処理は、ここでは説明しないが、例えば既存のグループ管理操作において、指定したグループを解除して室内機単独で管理する処理である『グループの解除』操作で行うようにするとよい。
【００４５】
そして、管理装置４は各室内機からのグループ検知データを受信し、この結果を『グループ検知』の欄に書き込む。グループ検知データを受信しなかった室内機の『グループ検知』欄は『−』のままであり、グループ検知データを受信した室内機の『グループ検知』欄は『有』になっている。管理装置４は、グループ選択開始コマンドを送信してから所定時間、例えば１０分が経過したらグループ選択停止コマンドを送信する。そして、『グループ検知』欄が『有』となっている室内機を新たな空調グループ２として、例えば『グループ番号』の欄に『２』を書き込む。
【００４６】
なお、グループ対象室内機の検知精度を向上させるため、照明のオン／オフ回数を３回に規定したり、電話の呼出音を３回に規定したり、条件を付加することで意図しない室内機をグループ化することを防止することができる。
【００４７】
次に図７のフローチャートを用いて本発明による空調機システムの動作を説明する。図７（Ａ）は室内機の制御を示し、図７（Ｂ）は管理装置の制御を示す。
また、図７において、ＳＴはステップを表し、これに続く数字はステップ番号を示す。また、図４中の『Ｙ』はＹｅｓを、『Ｎ』はＮｏをそれぞれ示している。
【００４８】
図７（Ａ）において室内機制御部２６はまず最初に、管理装置４からのデータを受信したか確認する（ＳＴ１）。管理装置４からのデータを受信した場合（ＳＴ１−Ｙ）、次にこの受信したデータがグループ選択開始コマンドか確認する（ＳＴ２）。受信したデータがグループ選択開始コマンドでない場合（ＳＴ２−Ｎ）、室内機制御部２６は管理装置からの受信データ（コマンド）や図示しないリモコンの指示により、通常の空調運転を行う（ＳＴ３）。
【００４９】
なお、管理装置４から送信されたグループ選択停止コマンドを受信した場合も（ＳＴ２−Ｎ）の分岐へジャンプするので、結果的にグループ選択停止処理に移行することになる。そして、ＳＴ３の処理を行った後、ＳＴ１へジャンプする。また、管理装置４からのデータを受信しなかった場合（ＳＴ１−Ｎ）、ＳＴ３へジャンプする。
【００５０】
一方、受信したデータがグループ選択開始コマンドの場合（ＳＴ２−Ｙ）、次に照明点灯、又は電話の呼出音を検知したかを確認する（ＳＴ４）。照明点灯、又は電話の呼出音を検知した場合（ＳＴ４−Ｙ）、グループ検知データを管理装置４へ送信する。ただし、グループ選択開始コマンドで室内照明点灯検知か室内の音検知かが指定されていたら、それぞれに対応した検知結果のみを管理装置４へ送信する。そしてＳＴ１へジャンプする。
【００５１】
一方、照明点灯、又は電話の呼出音を検知できない場合（ＳＴ４−Ｎ）、ＳＴ１へジャンプする。照明点灯、又は電話の呼出音の検知できた、できないの判定は前述したように、それぞれの検出レベルがそれぞれの閾値以上か未満かで判断する。
【００５２】
次に図７（Ｂ）を用いて管理装置４の制御について説明する。まず、最初に管理装置４は、グループ選択開始コマンドを送信してから１０分経過したか確認する（ＳＴ１０）。
これはグループ選択期間の終了を判定するものである。そして、グループ選択開始コマンドを送信してから１０分経過した場合（ＳＴ１０−Ｙ）、グループ選択停止コマンドを各室内機へ送信し（ＳＴ１１）、次に管理装置４内に記憶した管理テーブルの『グループ検知』欄のデータに従ってグループを決定する（ＳＴ１８）。そしてＳＴ１０へジャンプする。
【００５３】
一方、グループ選択開始コマンドを送信してから１０分経過しない場合（グループ選択開始コマンドを送信していない場合も含む）、室内機からのグループ検知データを受信したか確認する（ＳＴ１２）。室内機からのグループ検知データを受信した場合（ＳＴ１２−Ｙ）、管理装置４内に記憶している管理テーブルの該当室内機の『グループ検知』欄に『有』を書き込んで記憶する（ＳＴ１３）。そしてＳＴ１０へジャンプする。なお、該当室内機とは、グループ検知データを送信した室内機であり、この室内機のアドレスで管理テーブルを検索することで、『グループ検知』欄に『有』を書き込むべき室内機が特定される。
【００５４】
一方、室内機からのグループ検知データを受信していない場合（ＳＴ１２−Ｎ）、管理者による管理装置４へのグループ化の開始指示の操作をチェックする（ＳＴ１４）。管理者による管理装置４へのグループ化の開始指示操作が無い場合や、すでにグループ検知データの受信監視中の場合、（ＳＴ１４−Ｎ）、管理装置４は通常の動作、つまり、各機器を監視したり、管理者による管理装置４への指示（グループ化の指示入力を除く）に従って、空調機システム内の機器を制御する（ＳＴ１５）。そしてＳＴ１０へジャンプする。
【００５５】
一方、管理者による管理装置４へのグループ化の開始指示の操作が行われた場合（ＳＴ１４−Ｙ）、管理装置４はこの開始指示に従って、管理装置４内に記憶している管理テーブル内で、『グループ番号』欄が『？』となっている室内機をグループ対象室内機として抽出し、この対象室内機の『グループ検知』欄を『−』でクリア（書込）する（ＳＴ１６）。次に、このグループ対象室内機の各アドレスを指定してグループ選択開始コマンドを送信する（ＳＴ１７）。そしてＳＴ１０へジャンプする。
【００５６】
なお、本実施例では、室内機で照明の変化や音の変化を判断し、変化があった時のみ管理装置にこの情報を送信しているが、これに限るものでなく、照明の変化や音の変化に関係なく、各室内機が検知した状態をそのまま管理装置に検知結果として送信し、管理装置側で検知結果からグループ化を行う室内機を選択するようにしてもよい。
このような構成により、室内機の処理を軽減させ、安価なマイコンを使用することでコストを低減することができる。
【符号の説明】
【００５７】
１  ホテル（ビル）
２  空調グループ
３  空調グループ
４  管理装置
５  冷媒系統
６  冷媒系統
７  通信線
１１、１２、１３、１４  室内機
１５  親室外機
１６  子室外機
２１  リモコン受信部（明るさ検知手段）
２２  報知部
２３  送風ファンモータ
２４  ステッピングモータ
２５  室温センサ入力部
２６  室内機制御部
２７  室温センサ
２８  音検知部（音検知手段）
２９  通信部
３１、３２、３３  室内機
３５  親室外機
３６  子室外機
４１  事務所
４２  トイレ
４３  事務所
４４  会議室
４５  管理室
５１、５２，５３  照明
５５、５６、５７  電話機
【図１】
2011141099.tif 000003
【図２】
2011141099.tif 000004
【図３】
2011141099.tif 000005
【図４】
2011141099.tif 000006
【図５】
2011141099.tif 000007
【図６】
2011141099.tif 000008
【図７】
2011141099.tif 000009